(57)【特許請求の範囲】
【請求項１】
感光体の除電を行うイレーザランプと、機器本体上に設けられて画像形成装置の表示動作を行う表示用電装品と、前記表示用電装品の停動制御を行う駆動制御手段とを備える画像形成装置において、
前記イレーザランプに電力を供給する電力供給手段を備え、
前記駆動制御手段は、前記イレーザランプが正常に動作したとき、画像形成中に前記イレーザランプを介して前記電力供給手段から電力が供給されて前記表示用電装品の表示動作の制御を行うように、前記イレーザランプを介して前記電力供給手段に接続され、
前記イレーザランプが異常であったとき、前記表示用電装品の表示動作が行われないこと、を特徴とする画像形成装置。
【請求項２】
用紙を搬送経路に沿って搬送して、画像形成を行う画像形成装置において、
感光体の除電を行うイレーザランプと、
前記用紙を搬送経路に沿って搬送する搬送機構と、
前記搬送機構の駆動を制御する駆動制御手段と、
前記イレーザランプに電力を供給する電力供給手段を備え、
前記駆動制御手段は、前記イレーザランプが正常に動作したとき、画像形成中に前記イレーザランプを介して前記電力供給手段から電力が供給されて前記搬送機構の駆動制御を行うように、前記イレーザランプを介して前記電力供給手段に接続され、
前記イレーザランプが異常であったとき、前記搬送機構は、前記用紙を搬送経路に沿って搬送しないこと、を特徴とする画像形成装置。
【請求項３】
用紙を搬送経路に沿って搬送して、画像形成を行う画像形成装置において、
感光体の除電を行うイレーザランプと、
前記用紙を搬送経路に沿って搬送する搬送機構と、
前記搬送機構の駆動を制御する駆動制御手段と、
前記イレーザランプに電力を供給する電力供給手段を備え、
前記搬送機構は、前記搬送経路の所定の位置に用紙が到達したか否かを検知する光学センサを有し、
前記光学センサは、前記イレーザランプが正常に動作したとき、画像形成中に前記イレーザランプを介して前記電力供給手段から電力が供給されるように、前記イレーザランプを介して前記電力供給手段に接続され、
前記イレーザランプが異常であったとき、前記光学センサは、前記搬送経路の所定の位置に用紙が到達したか否かを検知しないこと、を特徴とする画像形成装置。
【発明の詳細な説明】
【技術分野】
【０００１】
本発明は、複数の電装品を備える電子機器及び画像形成装置に関する。
【背景技術】
【０００２】
複数の電装品を備える電子機器として、例えば、カラー感熱プリンタやカラーレーザプリンタなどが知られている。例えば、特許文献１に記載されるカラー感熱プリンタでは、サーマルヘッドにより各感熱発色層を加熱して３色の画像を順次に熱記録し、各色の画像が熱記録された部分から順次光定着器に送られ、カラー感熱記録紙の記録面の全面に定着光を照射して、下層の感熱発色層への熱記録時に上層の感熱発色が発色しないように定着する。光定着器は、イエロー用発光素子アレイを複数備えるグループと、マゼンタ用発光素子アレイを複数備えるグループを備え、各グループに１個の表示用発光素子が各発光素子アレイと直列になるように配設されるとともに、駆動電源が、各グループに対して並列に電源を供給するように接続されており、発光素子アレイを駆動するＬＥＤ駆動回路が構成されている。
【０００３】
このような特許文献１に記載されるカラー感熱プリンタは、例えば、マゼンタ用発光素子アレイの１つが断線故障していない場合には、マゼンタ用発光素子アレイのグループに設けられた表示用発光素子に電流が流れて表示用発光素子を点灯させるが、マゼンタ用発光素子アレイの１つが断線故障した場合には、表示用発光素子に電流が流れず表示用発光素子を消灯させるので、表示用発光素子の点灯と消灯により故障した発光素子アレイを含むグループを特定し、修理を行うことができる。
【０００４】
【特許文献１】特開２００５−１０９０２５号公報
【発明の開示】
【発明が解決しようとする課題】
【０００５】
しかしながら、従来のカラー感熱プリンタは、発光素子アレイのグループ毎に表示用発光素子を設けなければならず、部品コストがかかっていた。また、発光素子アレイが機器本体内に設けられるのに対して、表示用発光素子が機器本体外に露出するように設けられるため、表示用発光素子を発光素子アレイに直列につなぐ回路が複雑であり、製造コストが高かった。
【０００６】
本発明は、上記問題点を解決するためになされたものであり、電気回路構造が簡単で、安価に製造できる電子機器及び画像形成装置を提供することを目的とする。
【課題を解決するための手段】
【０００７】
本発明に係る電子機器及び画像形成装置は、上記課題を解決するために以下の構成を有
する。
【０００９】
（１）感光体の除電を行うイレーザランプと、機器本体上に設けられて画像形成装置の表示動作を行う表示用電装品と、前記表示用電装品の停動制御を行う駆動制御手段とを備える画像形成装置において、前記イレーザランプに電力を供給する電力供給手段を備え、前記駆動制御手段は、前記イレーザランプが正常に動作したとき、前記イレーザランプを介して前記電力供給手段に接続され、前記イレーザランプが異常であったとき、前記表示用電装品の表示動作が行われないこと、を特徴とする。
【００１０】
（２）用紙を搬送経路に沿って搬送して、画像形成を行う画像形成装置において、感光体の除電を行うイレーザランプと、前記用紙を搬送経路に沿って搬送する搬送機構と、前記搬送機構の駆動を制御する駆動制御手段と、前記イレーザランプに電力を供給する電力供給手段を備え、前記駆動制御手段は、前記イレーザランプが正常に動作したとき、画像形成中に前記イレーザランプを介して前記電力供給手段から電力が供給されて前記搬送機構の駆動制御を行うように、前記イレーザランプを介して前記電力供給手段に接続され、前記イレーザランプが異常であったとき、前記搬送機構は、前記用紙を搬送経路に沿って搬送しないこと、を特徴とする。
【００１１】
（３）用紙を搬送経路に沿って搬送して、画像形成を行う画像形成装置において、感光体の除電を行うイレーザランプと、前記用紙を搬送経路に沿って搬送する搬送機構と、前記搬送機構の駆動を制御する駆動制御手段と、前記イレーザランプに電力を供給する電力供給手段を備え、前記駆動制御手段は、前記搬送経路の所定の位置に用紙が到達したか否かを検知する光学センサを有し、前記光学センサは、前記イレーザランプが正常に動作したとき、画像形成中に前記イレーザランプを介して前記電力供給手段から電力が供給されるように、前記イレーザランプを介して前記電力供給手段に接続され、前記イレーザランプが異常であったとき、前記光学センサは、前記搬送経路の所定の位置に用紙が到達したか否かを検知しないこと、を特徴とする。
【発明の効果】
【００１３】
次に上記構成を有する電子機器及び画像形成装置の作用効果について説明する。
本発明の電子機器が画像形成装置であって、例えば、第１電装品がイレーザランプであり、イレーザランプを介して駆動制御手段を電力供給手段に接続する場合には、イレーザランプが正常に点灯すれば、イレーザランプから駆動制御手段に電力が供給され、駆動制御手段が第２電装品の駆動制御を行うことができる。しかし、イレーザランプが断線等の異常を発生して点灯できなくなると、イレーザランプから駆動制御手段に電力が供給されなくなり、駆動制御手段が第２電装品の駆動制御を行えず、第２電装品の駆動が停止する。よって、本発明の電子機器又は画像形成装置によれば、第２電装品の駆動停止により第１電装品の異常を外部に知らせることができる。
【００１４】
また、本発明の電子機器が画像形成装置であって、例えば、第１電装品がイレーザランプであり、第２電装品が表示用電装品である場合には、イレーザランプが正常に点灯すれば、イレーザランプから表示用電装品に電力が供給され、表示用電装品が正常に表示動作を行う。しかし、イレーザランプが断線等の異常を発生して点灯できなくなると、イレーザランプから表示用電装品に電力が供給されなくなり、表示用電装品が正常に表示動作を行えなくなる。よって、本発明の電子機器又は画像形成装置によれば、表示用電装品が正常に表示動作を行わなくなることにより、第１電装品の異常を外部に知らせることができる。
【００１５】
また、本発明の電子機器が画像形成装置であって、例えば、第１電装品がイレーザランプであり、第２電装品が発光センサの発光手段である場合には、イレーザランプが正常に点灯すれば、イレーザランプから発光手段に電力が供給され、発光センサが正常にセンシングを行う。しかし、イレーザランプが断線等の異常を発生して点灯しなくなると、イレーザランプから発光手段に電力が供給されなくなり、発光手段が発光できなくなるため、発光センサが正常にセンシングを行えなくなる。よって、本発明の電子機器又は画像形成装置は、発光センサが正常にセンシングを行えなくなることにより、第１電装品の異常を外部に知らせることができる。
【００１６】
このように、本発明の電子機器及び画像形成装置は、電子機器又は画像形成装置に取り付けられた既存の電装品（例えば、駆動制御手段、表示用電装品、発光センサの発光手段など）を、例えば、イレーザランプの異常を外部に知らせるための電装品として共用するので、異常検出用の表示用発光素子を別途設ける必要がなく、部品コストが安くなる。また、第１電装品（例えば、イレーザランプ）から駆動制御手段又は第２電装品（例えば、表示用電装品、発光センサの発光手段など）に電力が供給されるように、駆動制御手段又は第２電装品を第１電装品を介して電力供給手段に接続するだけの回路構成で、第１電装品の異常を検出するので、回路構成が簡単になり、製造コストを安くできる。よって、本発明の電子機器及び画像形成装置によれば、電気回路構造が簡単で、安価に製造することができる。
【発明を実施するための最良の形態】
【００１７】
次に、本発明に係る電子機器の実施の形態について図面を参照して説明する。
【００１８】
（第１実施形態）
＜複合機＞
図１は、複合機１の外観斜視図である。
本実施形態では、プリンタ機能、コピー機能、スキャナ機能、ファクシミリ機能など多機能を備える複合機１を電子機器及び画像形成装置として使用する。複合機１は、画像形成ユニット２と画像読取ユニット１００とで外観を構成されている。複合機１は、既存の電装品（第２電装品）を利用して、画像形成ユニット２の内部に配設されるイレーザランプ（第１電装品）３２の異常をユーザに知らせるように、制御回路５０が構成されている。
【００１９】
＜画像形成ユニット＞
図２は、図１に示す複合機１の断面図である。
画像形成ユニット２は、給紙カセット６から用紙をピックアップして画像形成部５へ送り出し、画像形成部５にて用紙に画像を形成した後、当該用紙を排紙トレイ４６に排出する。
【００２０】
画像形成ユニット２は、給紙カセット６からピックアップした用紙を、給紙ローラ１１、分離ローラ８、レジストローラ１２、定着ローラ４１、加圧ローラ４２を介して排紙トレイ４６まで搬送する。各ローラ８，１１，１２，４１，４２は、画像形成ユニット２内に回転自在に保持され、モータＭの駆動トルクが図示しない動力伝達ギヤ列を介して各中心軸に伝達されて、回動される。モータＭは、図示しないモータ駆動制御回路によって、その駆動が制御される。本実施形態では、図示しないモータ駆動制御回路は、例えば、複合機１に接続されるパソコンから「印刷指令」が入力されると、モータＭを駆動し、また印字が終了すると、モータMの駆動を停止するように構成されている。
【００２１】
図示しない動力伝達ギヤ列上には、クラッチソレノイドが配設され、クラッチソレノイドの駆動によってギヤを繋げたり切ったりすることにより、各ローラ８，１１，１２，４１，４２に伝達する動力を個別制御する。
【００２２】
具体的には、例えば、複合機１は、給紙ローラ１１に動力を伝達する動力伝達ギヤ列に、電磁式のクラッチソレノイド２０を設け、給紙ローラ１１によって給紙カセット６の用紙を１枚ずつピックアップし、搬送経路へ送り出すようにしている。クラッチソレノイド２０は、通電状態にされると、給紙ローラ１１の動力伝達ギヤ列が動力を伝達できる状態（以下「動力伝達可能状態」という。）になるように駆動し、一方、非通電状態にされると、給紙ローラ１１の動力伝達ギヤ列が動力を伝達できなくなる状態（以下「動力伝達不能状態」という。）になるように駆動する。従って、クラッチソレノイド２０の駆動制御を行うことにより、用紙をピックアップするタイミングを調整できる。
【００２３】
搬送経路上を搬送される用紙は、各種センサによって検出される。例えば、給紙ローラ１１の下流側には、給紙センサ２１が配設され、給紙ローラ１０がピックアップした用紙を検出する。また、レジストローラ１２の上流側には、レジストセンサ１３が配設され、レジストローラ１２に搬送された用紙を検出する。複合機１は、給紙センサ２１とレジストセンサ１３が用紙を検出する検出結果に基づいて、レジストローラ１２の下流側に配設されたアクチュエータ１４を駆動するタイミングを制御し、レジストローラ１２から画像形成部５へ送る用紙の前端が搬送経路に対して直交するように、用紙の向きを調整するとともに、用紙の搬送間隔を所定間隔に調整する。
【００２４】
画像形成部５は、感光体ドラム２７と転写ローラ３０との間に、画像形成位置Ｐ１が形成されている。感光体ドラム２７は、スコトロン帯電器２９によって表面を正帯電され、スキャナ部１６からレーザ光を照射されて静電潜像を形成された後、現像ローラ３１に担持されたトナーＴを供給されて、静電潜像が可視像化され、反転画像を形成される。感光体ドラム２７は、転写ローラ３０から転写バイアスを印加され、画像形成位置Ｐ１へ搬送されてきた用紙に反転画像を転写する。そして、画像形成部５は、画像を転写された用紙を定着ローラ４１と押圧ローラ４２との間に送り出し、用紙に画像を熱定着させた後、用紙を排紙トレイ４６に排出する。
【００２５】
ここで、画像形成部５は、感光体ドラム２７の回転方向において、スコトロン帯電器２９の上流側に、複数のイレーザランプ３２が感光ドラム２７の長手方向に一列に並んで配設され、感光ドラム２７の表面に除電光を照射するように配設されている。感光体ドラム２７は、イレーザランプ３２の除電光を表面に照射されることにより、表面電位が０Ｖにされ、電気的に掃除される。そのため、感光体ドラム２７は、スコトロン帯電器２９に帯電されるときに、電気的なムラを発生せずに一様に帯電されるようになり、トナーＴを静電潜像にのみ付着することが可能になる。これにより、複合機１は、用紙に余分な線等を印刷されたり、印刷ムラを生じることがなくなり、印字性能が確保される。
【００２６】
このような画像形成ユニット２には、画像読取ユニット１００が第１のヒンジ軸Ｊ１により回動可能に保持され、排紙トレイ４６を覆っている。
【００２７】
＜画像読取ユニット＞
画像読取ユニット１００は、原稿カバー１４０が第２のヒンジ軸Ｊ２を介して上部ケーシング１０１に回動可能に保持されており、原稿カバー１４０を開いてプラテンガラス１０７に原稿を載せ、上部ケーシング１０１の内部に収容されるイメージセンサ１１５によって原稿の画像を読み取るようになっている。また、画像読取ユニット１００は、周知のＡＤＦ機構１４５を備え、上述のイメージセンサ１１５を移動させずに、原稿供給トレイ１４７（図１参照）から１枚づつ原稿を取り込んでイメージセンサ１１５の上方を通過させ、そこで原稿から画像を読み取れるようになっている。画像読取ユニット１００の正面側（図中＋Ｘ軸側）には、操作部１２１が設けられている。
【００２８】
図１に示すように、操作部１２１は、用紙枚数や用紙サイズなどを入力する入力スイッチキー１２５、コピーモード、ファクシミリモード、プリントモードを切り替えるモード切替スイッチキー１２８、ファクシミリデータの送信やコピーの開始を指示するスタートスイッチキー１２９などの各種スイッチキーの他、実行しているモードや警告などを表示する表示灯１２６や液晶パネル１２７などを備える。
【００２９】
＜制御回路＞
図３は、図１に示す複合機１が使用する電装品の制御回路５０を示す図である。
制御回路５０は、「第１電装品」としてのイレーザランプ３２の点灯／消灯と、「第２電装品」としてのクラッチソレノイド２０の駆動制御を行うものである。制御回路５０は、「駆動制御手段」としてのトランジスタＴＲ１３が、イレーザランプ３２から供給される電力により、クラッチソレノイド２０の駆動制御を行うように、イレーザランプ３２を介してトランジスタＴＲ１１に接続されている。
【００３０】
制御回路５０は、ＣＰＵなどからなる制御装置５１、第１，第２，第３トランジスタＴＲ１１，ＴＲ１２、ＴＲ１３、逆流防止用のダイオードＤ１１、第１，第２抵抗Ｒ１１，Ｒ１２、クラッチソレノイド２０、複数の発光ダイオードにより構成されたイレーザランプ３２…等を備える。制御回路５０は、イレーザランプ３２に電流を供給するイレーザランプ電流供給ラインＬ１１と、クラッチソレノイド２０に電流を供給するクラッチソレノイド電流供給ラインＬ１２とが、バイパスラインＬ１３を介して接続されている。
【００３１】
制御装置５１は、第１ポート５２と、第２ポート５３とを備える。第１ポート５２は、ロー状態のときには電流を引き込むことができ、ハイインピーダンス状態のときには電流を供給することができないオープンドレインとして構成されている。第２ポート５３は、オン状態のときには電流を供給し、オフ状態のときには電流を引き込むことができるトーテンポールとして構成されている。
【００３２】
イレーザランプ電流供給ラインＬ１１は、第１トランジスタＴＲ１１、複数のイレーザランプ３２、第１抵抗Ｒ１１、ダイオードＤ１１、第２トランジスタＴＲ１２等を備える。イレーザランプ電流供給ラインＬ１１は、制御装置５１の第２ポート５３の出力を、ハイ状態（以下、「Ｈ」と称す。）／ロー状態（以下、「Ｌ」と称す。）に切り換えることにより、第１トランジスタＴＲ１１及び第２トランジスタＴＲ１２の導通状態を制御し、イレーザランプ３２の点灯／消灯を制御する。
【００３３】
第１トランジスタＴＲ１１は、ＰＮＰ型のトランジスタである。第１トランジスタＴＲ１１は、エミッタが第１端子Ｑ１１に接続され、コレクタがイレーザランプ３２に接続され、ベースが第３接続点Ｐ１３を介して第２トランジスタＴＲ１２のコレクタに接続されている。第１端子Ｑ１１は、「電力供給手段」としての電圧２４ボルトの電源に接続され、第１トランジスタＴＲ１１に電流を供給する。
イレーザランプ３２は、アノード側が第１トランジスタＴＲ１１のコレクタに接続され、カソード側が第１抵抗Ｒ１１を介してダイオードＤ１１に接続されている。
ダイオードＤ１１は、アノード側が第１抵抗Ｒ１１、第１接続点Ｐ１１、イレーザランプ３２を介して第１トランジスタＴＲ１１のコレクタに接続される一方、カソード側が第３接続点Ｐ１３に接続されている。ダイオードＤ１１は、イレーザランプ電流供給ラインＬ１１内で電流が逆流するのを防止している。
第２トランジスタＴＲ１２は、ＮＰＮ型のトランジスタである。第２トランジスタＴＲ１２は、エミッタが第２端子Ｑ１２に接続され、コレクタが第３接続点Ｐ１３を介して第１トランジスタＴＲ１１のベースに接続され、ベースが制御装置５１の第２ポート５３に接続されている。第２端子Ｑ１２は、グランドに接続されている。
【００３４】
クラッチソレノイド電流供給ラインＬ１２は、第３トランジスタＴＲ１３と、「第２電装品」としてのクラッチソレノイド２０等を備える。クラッチソレノイド電流供給ラインＬ１２は、第３トランジスタＴＲ１３の導通状態を制御することにより、クラッチソレノイド２０の駆動を制御する。
【００３５】
第３トランジスタＴＲ１３は、エミッタがグランド側の第４端子Ｑ１４に接続され、コレクタがクラッチソレノイド２０を介して第３端子Ｑ１３に接続され、ベースが制御装置５１の第１ポート５２に接続されている。第３端子Ｑ１３は、電圧２４ボルトの電源に接続され、クラッチソレノイド２０に電流を供給する。
【００３６】
バイパスラインＬ１３は、イレーザランプ電流供給ラインＬ１１上に設けられた第１接続点Ｐ１１と、クラッチソレノイド電流供給ラインＬ１２上の第３トランジスタＴＲ１３のベースと制御装置５１の第１ポート５２との間に設けられた第２接続点Ｐ１２に接続されている。バイパスラインＬ１３には、第２抵抗Ｒ１２が配設されている。
【００３７】
第１抵抗Ｒ１１と第２抵抗Ｒ１２は、イレーザランプ電流供給ラインＬ１１を流れる電流をクラッチソレノイド電流供給ラインＬ１２へ分流させる電流量を調整するために設けられている。本実施形態では、第２抵抗Ｒ１２の抵抗値が第１抵抗Ｒ１１の抵抗値より大きく設定され、クラッチソレノイド電流供給ラインＬ１２へ分流される電流量が、イレーザランプ電流供給ラインＬ１１を流れる電流量よりも小さくなるようにされている。
従って、クラッチソレノイド電流供給ラインＬ１２は、制御装置５１の第１ポート５２の出力を、ハイインピーダンス状態（以下、「Ｈ」と称す。）／ロー状態（以下、「Ｌ」と称す。）に切り換えることにより、第３トランジスタＴＲ１３の導通状態を制御し、クラッチソレノイド２０の動作を制御する。
【００３８】
＜複合機の動作説明＞
次に、上記構成を有する複合機１の動作について説明する。
複合機１が画像形成を行わない待機状態においては、制御装置５１は、第２ポート５３の出力を「Ｌ」にしている。この場合、第２トランジスタＴＲ１２のベースにベース電流が流れず、第２トランジスタＴＲ１２がコレクタ・エミッタ間に電流を流さない非導通状態になる。そのため、第１トランジスタＴＲ１１も、ベース電流が流れず、エミッタ・コレクタ間に電流を流さない非導通状態になる。よって、イレーザランプ３２は、第１トランジスタＴＲ１１を介して第１端子Ｑ１１から電流が供給されず、消灯される。
【００３９】
このとき、第２接続点Ｐ１２は、イレーザランプ３２側から電流を供給されないため、制御装置５１は、第１ポート５２の出力を「Ｈ」にしても、第３トランジスタＴＲ１３のベース電流は流れることはない。そのため、イレーザランプ３２が消灯している間は、第３トランジスタＴＲ１３は、ベースに電流が流れず、コレクタ・エミッタ間の電流が流れない非導通状態を維持し、クラッチソレノイド２０を非通電状態のままにする。つまり、第３トランジスタＴＲ１３は、クラッチソレノイド２０の停動を制御できない。非通電状態のクラッチソレノイド２０は、給紙ローラ１１の動力伝達ギヤ列を動力伝達不能状態にするため、複合機１は、給紙ローラ１１は用紙をピックアップすることはない。
【００４０】
複合機１が画像形成するときには、制御装置５１は、その第２ポート５３の出力を「Ｌ」から「Ｈ」に切り替える。第２トランジスタＴＲ１２は、第２ポート５３からベースに電流が供給され、コレクタ・エミッタ間に電流を流す導通状態になる。すると、第１トランジスタＴＲ１１は、エミッタ・ベース間に電流が流れ、エミッタ・コレクタ間に電流を流す導通状態になる。第１端子Ｑ１１から第１トランジスタＴＲ１１に供給された電流は、イレーザランプ３２、第１接続点Ｐ１１、第１抵抗Ｒ１１、ダイオードＤ１１、第３接続点Ｐ１３、第２トランジスタＴＲ１２、第２端子Ｑ１２を介してグランドへ流れる。そのため、イレーザランプ３２が、第１トランジスタＴＲ１１から供給された電流によって点灯する。
【００４１】
イレーザランプ３２に供給された電流は、一部が、第１接続点Ｐ１１から分流されて、第２接続点Ｐ１２に供給される。制御装置５１の第１ポート５２が「Ｌ」を出力するときには、第２接続点Ｐ１２に供給された電流は、第１ポート５２側へ流れ、第３トランジスタＴＲ１３にベース電流が流れることがない。そのため、第３トランジスタＴＲ１３は、非導通状態になり、クラッチソレノイド２０を非通電状態にする。クラッチソレノイド２０が非通電状態のときには、給紙ローラ１１の動力伝達ギヤ列が動力伝達不能状態になるため、複合機１は、給紙ローラ１１によって用紙をピックアップしない。
【００４２】
一方、制御装置５１が、第２ポート５３に「Ｈ」を出力し、且つ、第１ポート５２に「Ｈ」を出力する場合には、イレーザランプ３２から供給された電流が、第１接続点Ｐ１１、第２抵抗Ｒ１２及び第２接続点Ｐ１２を介して第３トランジスタＴＲ１３側へ流れ、第３トランジスタＴＲ１３にベース電流が流れる。そのため、第３トランジスタＴＲ１３が導通状態になり、クラッチソレノイド２０を通電状態にする。クラッチソレノイド２０が通電状態になると、給紙ローラ１１の動力伝達ギヤ列が動力伝達可能状態になるため、複合機１は、給紙ローラ１１が給紙カセット６の用紙をピックアップして搬送経路へ送り出す。
【００４３】
給紙ローラ１１が給紙カセット６から用紙を１枚ピックアップして搬送経路へ送り出したことを、給紙センサ２１が検出すると、制御装置５１は、第１ポート５２から「Ｌ」を出力し、イレーザランプ３２から供給された電流を第３トランジスタＴＲ１３側へ流さないようにする。すると、第３トランジスタＴＲ１３は非導通状態になり、クラッチソレノイド２０を再び非通電状態にする。これにより、給紙ローラ１１の動力伝達ギヤ列が動力伝達不能状態になり、複合機１は、給紙ローラ１１が用紙をピックアップしなくなる。
【００４４】
このように、複合機１は、第２ポート５３の出力を「Ｈ」にしてイレーザランプ３２を点灯させた状態で、第１ポート５２の出力を、「Ｌ」／「Ｈ」と切り替えれば、第３トランジスタＴＲ１３の非導通状態と導通状態を切り替えて、クラッチソレノイド２０の停動を制御すること、ひいては用紙のピックアップ動作を制御することが可能である。
【００４５】
複合機１が印刷を完了すると、制御装置５１は、第２ポート５３の出力を「Ｈ」から「Ｌ」に切り替える。すると、第２トランジスタＴＲ１２と第１トランジスタＴＲ１１が非導通状態になり、イレーザランプ３２は、第１トランジスタＴＲ１１を介して第１端子Ｑ１１から電流が供給されなくなって消灯される。
【００４６】
これと同時に、第２接続点Ｐ１２にも電流が供給されなくなり、第３トランジスタＴＲ１３が非導通状態にされる。これにより、仮に制御装置５１の第１ポート５２が「Ｈ」を出力したとしても、クラッチソレノイド２０が非通電状態が維持されることとなり、給紙ローラ１１の動力伝達ギヤ列を動力伝達不能状態にするので、複合機１は、給紙ローラ１１が用紙をピックアップしなくなる。
【００４７】
ところで、複合機１は、印刷中に、イレーザランプ３２が断線等の異常を発生し、点灯できなくなることがある。イレーザランプ３２は、感光ドラム２７等の影に隠れた状態で画像形成ユニット２に内設されているため、ユーザがイレーザランプ３２の異常に気づきにくい。イレーザランプ３２が点灯しないまま印刷を継続すると、感光体ドラム２７の表面を一様に帯電することができず、印字ムラを生じたり、用紙の余白に余分な線が印刷されるなどの不具合が生じる恐れがある。
【００４８】
この点、本実施形態の複合機１は、イレーザランプ３２が断線等の異常を発生し、イレーザランプ３２が点灯しなくなった場合には、第３トランジスタＴＲ１３は、イレーザランプ３２から第２抵抗Ｒ１２を介して電流が供給されなくなる。この場合、制御装置５１が第１ポート５２から「Ｈ」を出力しても、第３トランジスタＴＲ１３にベース電流が流れないため、第３トランジスタＴＲ１３が非導通状態を維持し、クラッチソレノイド２０を非通電状態にさせ続ける。
【００４９】
複合機１は、正常に印刷しているときには、給紙センサ２１が用紙検出を行った後、一旦給紙ローラ１１を停止させ、その後に所定時間が経過したら、再び給紙ローラ１１を回転させて用紙をピックアップする。しかし、イレーザランプ３２の異常によってクラッチソレノイド２０が非通電状態になると、複合機１は、給紙センサ２１が用紙を検出した後に所定時間が経過しても、給紙ローラ１１を回転させることができない。そのため、複合機１は、給紙ローラ１１の部分で紙ジャムが発生したと判断し、印刷を非常停止する。
【００５０】
ユーザは、複合機１の給紙ローラ１１付近に紙ジャムが発生しているか確認し、紙ジャムが発生せずに印刷が非常停止されていれば、イレーザランプ３２に異常が発生したことに気づくことができる。
【００５１】
＜複合機の作用効果＞
従って、本実施形態の複合機１によれば、イレーザランプ３２と、クラッチソレノイド２０と、クラッチソレノイド２０の駆動を制御する第３トランジスタＴＲ１３とを備えるものであって、イレーザランプ３２に電力を供給する第１トランジスタＴＲ１１を有し、第３トランジスタＴＲ１３は、イレーザランプ３２から供給される電力により、クラッチソレノイド２０の駆動制御を行うように、イレーザランプ３２を介して第１トランジスタＴＲ１１に接続されているので、画像形成中におけるクラッチソレノイド２０の駆動停止によりイレーザランプ３２の異常を外部に知らせることが可能になる。
【００５２】
このように、複合機１は、既存のクラッチソレノイド２０を、イレーザランプ３２の異常を外部に知らせるための電装品として共用するので、異常検出用の表示用発光素子を別途設ける必要がなく、部品コストが安くなる。また、制御回路５０が、イレーザランプ３２から第３トランジスタＴＲ１３に電力が供給されるように、第３トランジスタＴＲ１３をイレーザランプ３２を介して第１トランジスタＴＲ１１に接続するだけの回路構成で、イレーザランプ３２の異常を検出するようにされているので、制御回路５０の回路構成が簡単になり、製造コストを安くできる。従って、本実施形態の複合機１によれば、電気回路構造が簡単で、安価に製造することができる。
【００５３】
（第２実施形態）
次に、本発明の電子機器及び画像形成装置の第２実施形態について図面を参照して説明する。
第２実施形態の電子機器及び画像形成装置も、第１実施形態と同様に、複合機１によって構成されている。第２実施形態の複合機１は、「第２電装品」としての表示灯１２６を、「第１電装品」としてのイレーザランプ３２の異常検出に共用する点、及び、画像形成を行わずイレーザランプ３２を消灯させているときにも表示灯１２６を表示制御できる点で、第１実施形態と相違する。ここでは、第１実施形態と相違する点を中心に説明し、共通する構成、作用及び効果については説明を適宜省略する。尚、第２実施形態の説明及び図面中、第１実施形態と同様の構成には、第１実施形態と同様の符号を使用するものとする。
【００５４】
＜制御回路＞
図４は、第２実施形態に係る複合機１が使用する電装品の制御回路５０Ａを示す図である。
制御回路５０Ａは、コントロール基板６１と、ＥＬ基板６２と、パネル基板６３とを備える。制御装置５０Ａは、パネル基板６３上の表示灯１２６が、イレーザランプ３２から供給される電力によって点灯するように、ＥＬ基板６２のイレーザランプ３２、コントロール基板６１上の第１トランジスタＴＲ１１を介して第１端子Ｑ１１に接続されている。
【００５５】
コントロール基板６１には、制御装置５１Ａが配設されている。コントロール基板６１は、イレーザランプ３２へ供給する電流を制御するために、第１抵抗Ｒ２１、第２トランジスタＴＲ１２、第１トランジスタＴＲ１１等が設けられている。また、コントロール基板６１は、制御装置５１Ａとだう２トランジスタＴＲ１２との間から分岐したライン上に第２抵抗Ｒ２２が設けられている。
【００５６】
制御装置５１Ａは、第１ポート６４と第２ポート６５を備え、両ポート６４，６５は共に、「Ｈ」では外部に対して電流を供給可能で、「Ｌ」では、電流を引き込み可能なトーテンポールとして構成されている。
【００５７】
コントロール基板６１では、制御装置５１Ａの第１ポート６４の出力が、第１接続点Ｐ２１においてラインが分岐している。一方の分岐ラインは、第１抵抗Ｒ２１を介して第２トランジスタＴＲ１２のベースに接続されている。他方の分岐ラインは、第２抵抗Ｒ２２を介して第５トランジスタＴＲ２２のベースに接続されている。第１抵抗Ｒ２１と第２抵抗Ｒ２２は、第２トランジスタＴＲ１２と第５トランジスタＴＲ２２に供給する電流量を調整するために設けられている。本実施形態では、第５トランジスタＴＲ２２のベースに３．３Ｖの電圧をかけるように、第１抵抗Ｒ２１の抵抗値と第２抵抗Ｒ２２の抵抗値が設定されている。
【００５８】
ＥＬ基板６２には、「第１電装品」としての複数のイレーザランプ３２が直列に接続されている。イレーザランプ３２を構成する発光ダイオードのアノード側は、第１トランジスタＴＲ１１のコレクタに接続され、イレーザランプ３２を構成する発光ダイオードのカソード側は、第２接続点Ｐ２２と第３接続点Ｐ２３を介して表示灯１２６に接続されている。
【００５９】
パネル基板６３は、表示灯１２６、第５トランジスタＴＲ２２、第４トランジスタＴＲ２１等が備えられている。
【００６０】
表示灯１２６は、表示灯１２６を構成する発光ダイオードのアノード側が第３接続点Ｐ２３に接続され、カソード側が第４接続点Ｐ２４に接続されている。
第５トランジスタＴＲ２２は、ＰＮＰ型のトランジスタであり、第３端子Ｑ２１に接続する電源から表示灯１２６に供給する電流を制御するために設けられている。第５トランジスタＴＲ２２は、エミッタが第３端子Ｑ２１に接続され、コレクタが第２接続点Ｐ２２に抵抗を介して接続され、ベースが第２抵抗Ｒ２２を介して第１接続点Ｐ２１に接続されている。第３端子Ｑ２１は、電源に接続され、３．３Ｖの電圧が印加される。
第４トランジスタＴＲ２１は、ＮＰＮ型のトランジスタであり、表示灯１２６の点滅制御を行うために設けられている。第４トランジスタＴＲ２１は、エミッタが第４接続点Ｐ２４を介して第４端子Ｑ２２に接続され、コレクタが第３接続点Ｐ２３に接続され、ベースが制御装置５１Ａの第２ポート６５に抵抗を介して接続されている。第４端子Ｑ２２は、グランドに接続されている。
【００６１】
＜複合機の動作説明＞
次に、上記構成を有する第２実施形態の複合機１の動作について説明する。
複合機１の表示灯１２６は、例えば、複合機１の電源が投入され、且つ、正常な状態で動作可能であることを表示するために設けられている。複合機１は、印刷を行わずに待機しているときには、制御装置５１Ａが第１ポート６４から「Ｌ」を出力するので、第１トランジスタＴＲ１１と第２トランジスタＴＲ１２が非導通状態になる。そのため、第１端子Ｑ１１から第１トランジスタＴＲ１１を介してイレーザランプ３２に電流が供給されず、イレーザランプ３２は点灯することはない。
【００６２】
この場合、表示灯１２６は、イレーザランプ３２側から電流を供給されない。しかし、このとき、制御装置５１Ａが、第１ポート６４から「Ｌ」を出力しているので、第５トランジスタＴＲ２２のベース電流が流れ、第５トランジスタＴＲ２２は、エミッタ・コレクタ間に電流が流れて導通状態となる。すると、第３端子Ｑ２１から第５トランジスタＴＲ２２に供給された電流は、第２接続点Ｐ２２を介して第３接続点２３へ流れる。
【００６３】
この状態において、制御装置５１Ａが第２ポート６５から「Ｌ」を出力しているときには、第４トランジスタＴＲ２１のベース電流が流れず、第４トランジスタＴＲ２１がコレクタ・エミッタ間に電流を流さない非導通状態になる。そのため、第３接続点Ｐ２３に供給された電流は、表示灯１２６側に流れ、表示灯１２６を点灯させる。
これに対して、制御装置５１Ａが第２ポート６５から「Ｈ」を出力しているときには、第４トランジスタＴＲ２１のベース電流が流れ、第４トランジスタＴＲ２１がコレクタ・エミッタ間に電流を流す導通状態になる。そのため、第３接続点Ｐ２３に供給された電流は、第４トランジスタＴＲ２１、第４端子Ｑ２２を介してグランドへ流れる。この場合、電流が表示灯１２６側に流れず、表示灯１２６が消灯する。
【００６４】
従って、複合機１は、電源は投入されているが、印刷を行わない待機中であっても、正常な状態で動作可能であるときには、第２ポート６５から「Ｌ」を出力することにより表示灯１２６を点灯させ、ユーザに印刷可能状態を知らせることができる。これに対して、複合機１は、正常な状態ではなく動作をさせることができないときには、第２ポート６５から「Ｈ」を出力することにより表示灯１２６を消灯させ、ユーザの印刷不能状態を知らせることができる。
【００６５】
その後、複合機１が印刷を行うときには、複合機１は、制御装置５１Ａの第１ポート６４を「Ｌ」から「Ｈ」に切り替える。この場合、第１トランジスタＴＲ１１と第２トランジスタＴＲ１２が導通状態になり、イレーザランプ３２が点灯する。
【００６６】
第１端子Ｑ１１から供給され、第１トランジスタＴＲ１１を介してイレーザランプ３２に供給された電流は、第２接続点Ｐ２２を介して第３接続点Ｐ２３に供給される。第２接続点Ｐ２２には、第５トランジスタＴＲ２２を介して電源が接続している。しかし、第５トランジスタＴＲ２２は、制御装置５１Ａの第１ポート６４から出力された電圧が第５トランジスタＴＲ２２のベースに供給され、当該ベースに３．３Ｖの電圧をかける。そのため、第５トランジスタＴＲ２２は、エミッタ・ベース間に電流が流れない非導通状態となっているので、第２接続点Ｐ２２には、イレーザランプ３２側から供給された電流のみが流れる。
【００６７】
第２接続点Ｐ２２から第３接続点Ｐ２３へ流れた電流は、制御装置５１Ａの第２ポート６５の「Ｈ」／「Ｌ」によって、表示灯１２６又は第４トランジスタＴＲ２１を介してグランドへ流れる。すなわち、制御装置５１Ａが第２ポート６５から「Ｌ」を出力しているときには、第４トランジスタＴＲ２１にベース電流が流れず、第４トランジスタＴＲ２１が非導通状態になるため、イレーザランプ３２に供給された電流が第３接続点Ｐ２３から表示灯１２６側へ流れ、表示灯１２６を点灯させる。これに対して、制御装置５１Ａが第２ポートから「Ｈ」を出力しているときには、第４トランジスタＴＲ２１のベース電流が流れ、第４トランジスタＴＲ２１が導通状態になるため、イレーザランプ３２に供給された電流が第３接続点Ｐ２３から第４トランジスタＴＲ２１、第４端子Ｑ２２を介してグランドへ流れ、表示灯１２６を消灯させる。
【００６８】
従って、複合機１は、印刷中に、制御装置５１Ａに設けられた第２ポート６５の出力を「Ｈ」／「Ｌ」に切り替えることにより、表示灯１２６の点灯／消灯を制御し、ユーザに、複合機１が正常な状態で動作可能かどうかを知らせることができる。
【００６９】
ここで、複合機１が、イレーザランプ３２に異常を生じた場合には、印刷中に制御装置５１Ａが第１ポート６４を「Ｈ」にしても、イレーザランプ３２が点灯しない。この場合、第１トランジスタＴＲ１１からイレーザランプ３２に供給した電流が、イレーザランプ３２の故障により、表示灯１２６に流れることがない。
【００７０】
しかも、制御装置５１Ａの第１ポート６４から供給される電圧は、第５トランジスタＴＲ２２のベースに供給され、当該ベースに３．３Ｖの電圧をかけるため、第５トランジスタＴＲ２２は、非導通状態になり、電流を第２接続点Ｐ２２に供給しない。よって、表示灯１２６は、第５トランジスタＴＲ２２からも電流を供給されない。
【００７１】
この場合、複合機１は、表示灯１２６が消灯した状態で、通常の画像形成動作を行う。そのため、ユーザは、画像形成中に表示灯１２６が消灯している、すなわち、表示灯１２６の異常表示に気づき、イレーザランプ３２が断線等の異常を発生していることに気づくことができる。
【００７２】
＜複合機の作用効果＞
従って、本実施形態の複合機１によれば、イレーザランプ３２と表示灯１２６を備えるものであって、イレーザランプ３２に電力を供給する第１トランジスタＴＲ１１を有し、画像読取ユニット１００の操作部１２１に設けられた表示灯１２６は、イレーザランプ３２から供給される電力によって点灯されるように、イレーザランプ３２を介して第１トランジスタＴＲ１１に接続されているので、画像形成中に、表示灯１２６が正常に点灯できないようにすることにより、イレーザランプ３２の異常を外部に知らせることができる。
【００７３】
このように、複合機１は、既存の表示灯１２６を、イレーザランプ３２の異常を外部に知らせるための電装品として共用するので、異常検出用の表示用発光素子を別途設ける必要がなく、部品コストが安くなる。また、制御回路５０Ａは、イレーザランプ３２から表示灯１２６に電力が供給されるように、表示灯１２６をイレーザランプ３２を介して第１トランジスタＴＲ１１に接続するだけの回路構成で、イレーザランプ３２の異常を検出するので、制御回路５０Ａの回路構成が簡単になり、製造コストを安くできる。よって、本実施形態の複合機１によれば、電気回路構造が簡単で、安価に製造することができる。
【００７４】
（第３実施形態）
次に、本発明の電子機器及び画像形成装置の第３実施形態について図面を参照して説明する。
第３実施形態の電子機器及び画像形成装置も、第１実施形態と同様に、複合機１によって構成されている。第３実施形態の複合機１は、「第２電装品」及び「発光センサ」としてのレジストセンサ１３を、「第１電装品」としてのイレーザランプ３２の異常検出に共用する点で、第１実施形態と相違する。ここでは、第１実施形態と相違する点を中心に説明し、共通する構成、作用及び効果については説明を適宜省略する。尚、第３実施形態の説明及び図面中、第１実施形態と同様の構成には、第１実施形態と同様の符号を使用するものとする。
【００７５】
＜制御回路＞
図５は、第３実施形態に係る複合機１が使用する電装品の制御回路５０Ｂを示す図である。
制御回路５０Ｂは、制御装置５１Ｂと、イレーザランプ３２に電流を供給するイレーザランプ電流供給ラインＬ１１と、「発光手段」としての発光部７４に電流を供給する発光部電流供給ラインＬ２２と、イレーザランプ電流供給ラインＬ１１と発光部電流供給ラインＬ２２とを接続するバイパスラインＬ１３と、検出信号を入力する検出ラインＬ２１とを備える。制御回路５０Ｂは、レジストセンサ１３の発光部７４がイレーザランプ３２から供給される電力によって発光するように、発光部７４を第３トランジスタＴＲ１３、第２抵抗Ｒ１２、イレーザランプ３２、第１トランジスタＴＲ１１を介して第１端子Ｑ１１に接続している。
【００７６】
制御装置５１Ｂは、第１ポート５２と、第２ポート５３と、入力ポート７１とを備える。入力ポート７１は、第５接続点Ｐ３２に接続され、検出用電圧が供給される。
【００７７】
発光部電流供給ラインＬ２２は、第３トランジスタＴＲ１３、発光ダイオードから構成される発光部７４などを備える。発光部７４は、それを構成する発光ダイオードのアノード側が抵抗及び第６接続点Ｐ３３を介して第５端子Ｑ３１に接続される一方、カソード側が第３トランジスタＴＲ１３のコレクタに接続されている。尚、第５端子Ｑ３１は、電圧３．３ボルトの電源に接続されている。
【００７８】
検出ラインＬ２１には、発光部７４と、受光部となる受光素子から構成された第６トランジスタＴＲ３１とを備えるレジストセンサ１３が設けられている。レジストセンサ１３は、用紙の搬送経路上に揺動可能に保持される揺動部材を挟んで、発光部７４と第６トランジスタＴＲ３１とが対向配置され、揺動部材に取り付けられた遮光部材によって、発光部７４から第６トランジスタＴＲ３１に向かって照射される検出光の光路が遮られるようにされている。揺動部材は、バネ等の付勢部材の付勢力によって起立した状態に保たれ、搬送経路上に突き出している。
【００７９】
第６トランジスタＴＲ３１は、ＮＰＮ型のトランジスタである。第６トランジスタＴＲ３１は、エミッタが第４接続点Ｐ３１を介して第６端子Ｑ３２に接続されている。また、第６トランジスタＴＲ３１は、コレクタが、第５接続点Ｐ３２、抵抗Ｒ３１及び第６接続点Ｐ３３を介して第５端子Ｑ３１に接続される一方、第５接続点Ｐ３２を介して制御装置５１Ｂの入力ポート７１に接続されている。更に、第６トランジスタＴＲ３１は、ベースが発光部７４に対向して配置されている。第６トランジスタＴＲ３１のベースは、受光時に電流が流れるようになっている。尚、第６端子Ｑ３２は、グランドに接続されている。
【００８０】
＜複合機の動作説明＞
次に、上記構成を有する第３実施形態の複合機１の動作について説明する。
複合機１は、印刷を行わない待機中には、制御装置５１Ｂが第２ポート５３から「Ｌ」を出力して、第１トランジスタＴＲ１１と第２トランジスタＴＲ１２を非導通状態にし、イレーザランプ３２を消灯させる。このとき、制御装置５１Ｂが、第１ポート５２を「Ｈ」としても、第３トランジスタＴＲ１３が導通状態にならず、発光部７４が発光しない。
【００８１】
これに対して、複合機１は、印刷を行うときには、制御装置５１Ｂが第２ポート５３の出力を「Ｌ」から「Ｈ」に切り替えて第１トランジスタＴＲ１１と第２トランジスタＴＲ１２を導通状態にし、イレーザランプ３２を点灯させる。制御装置５１Ｂは、印刷開始後に、第１ポート５２の出力を「Ｌ」から「Ｈ」に切り替えることにより、イレーザランプ３２に供給された電流の一部が第２抵抗Ｒ１２を介して第３トランジスタＴＲ１３に供給され、第３トランジスタＴＲ１３を導通状態にする。これにより、レジストセンサ１３の発光部７４が発光する。
【００８２】
ここで、レジストセンサ１３の発光部７４が発光するが、複合機１は、印刷中に、用紙がレジストセンサ１３を通過していないときには、遮光部材が発光部７４と第６トランジスタＴＲ３１との間に配置され、発光部７４の検出光を遮る。そのため、第６トランジスタＴＲ３１は、発光部７４からの検出光を受光することがなく、非導通状態にされる。その結果、第５接続点Ｐ３２の電圧は、第５端子Ｑ３１と略同じ電圧である３．３ボルトとなり、この電圧が入力ポート７１に印加される。それにより、制御装置５１Ｂは、入力ポート７１がハイ状態（以下、「Ｈ」と称す。）となり、レジストセンサ１３が用紙を検出しない状態と判断する。
【００８３】
その後、複合機１は、給紙カセット６から用紙をピックアップして搬送すると、当該用紙が搬送経路上に突き出した揺動部材に突き当てられ、揺動部材を揺動させる。すると、揺動部材に取り付けた遮光部材が、検出光の光路からずれ、発光部７４が照射する検出光が第６トランジスタＴＲ３１のベースに到達する。これにより、第６トランジスタＴＲ３１が導通状態になるので、第５接続点Ｐ３２の電圧が降下し、この降下した電圧が、入力ポート７１に供給される。それにより、制御装置５１Ｂは、入力ポート７１がロー状態（以下、「Ｌ」と称す。）となり、レジストセンサ１３が用紙を検出した状態と判断する。
【００８４】
その後、用紙がレジストセンサ１３を通過すると、揺動部材が付勢部材の付勢力で起立した姿勢に自動復帰し、遮光部材が、検出光の光路を遮る。そのため、第６トランジスタＴＲ３１が非導通状態になる。これにより、制御装置５１Ｂは、入力ポート７１が「Ｈ」となるので、レジストセンサ１３が用紙を検出しない状態と判断する。
【００８５】
従って、複合機１は、印刷中に、制御装置５１Ｂの第１ポート５２の出力を「Ｌ」と「Ｈ」とに切り替え、第３トランジスタＴＲ１３の非導通状態と導通状態を切り替えれば、発光部７４の発光状態を制御できる。そして、発光部７４が発光しているときに、制御装置５１Ｂは、入力ポート７１の「Ｌ」／「Ｈ」により第６トランジスタＴＲ３１が導通状態であるか、非導通状態であるかを検出することができ、用紙がレジストローラ１２まで搬送されたか否かを判断することができる。
【００８６】
ここで、イレーザランプ３２が断線等の異常を発生した場合には、制御装置５１Ｂの第１ポート５２を「Ｈ」にしても、イレーザランプ３２に供給された電流が第２抵抗Ｒ１２を介して第３トランジスタＴＲ１３に供給されず、第３トランジスタＴＲ１３が非導通状態のままであるため、レジストセンサ１３の発光部７４が発光しない。
【００８７】
複合機１は、給紙センサ２１が用紙を検出してから、レジストセンサ１３が用紙を検出するまでの時間を計測し、用紙が適正な搬送間隔を空けて搬送されているか否かを確認する。イレーザランプ３２が異常を生じ、発光部７４が発光しなくなると、給紙センサ２１が用紙を検出した後、レジストセンサ１３が用紙を検出しないため、複合機１は、用紙が適正な搬送間隔を空けて搬送されておらず、搬送不良を発生したと判断し、印刷を非常停止する。ユーザは、搬送不良の要因を確認し、搬送不良の要因がないのに印刷が非常停止されていれば、イレーザランプ３２に異常が発生したことに気づくことができる。
【００８８】
＜複合機の作用効果＞
従って、本実施形態の複合機１は、イレーザランプ３２とレジストセンサ１３の発光部７４を備えるものであって、イレーザランプ３２に電力を供給する第１トランジスタＴＲ１１を有し、レジストセンサ１３の発光部７４がイレーザランプ３２から供給される電力によって発光するように、発光部７４をイレーザランプ３２を介して第１トランジスタＴＲ１１に接続するので、レジストセンサ１３が正常にセンシングを行えなくなり、印刷が非常停止されることにより、イレーザランプ３２の異常を外部に知らせることができる。
【００８９】
このように、本実施形態の複合機１は、既存の発光部７４を、イレーザランプ３２の異常を外部に知らせるための電装品として共用するので、異常検出用の表示用発光素子を別途設ける必要がなく、部品コストが安くなる。また、制御回路５０Ｂは、イレーザランプ３２から発光部７４に電力が供給されるように、発光部７４をイレーザランプ３２を介して第１トランジスタＴＲ１１に接続するだけの回路構成で、イレーザランプ３２の異常を検出するので、制御回路５０Ｂの回路構成が簡単になり、製造コストを安くできる。よって、本実施形態の複合機１によれば、電気回路構造が簡単で、安価に製造することができる。
【００９０】
（第４実施形態）
次に、本発明の電子機器及び画像形成装置の第２実施形態について図面を参照して説明する。
第４実施形態の電子機器及び画像形成装置も、第１実施形態と同様に、複合機１によって構成されている。第４実施形態の複合機１は、「第２電装品」及び「発光センサ」としてのレジストセンサ１３を、「第１電装品」としてのイレーザランプ３２の異常検出に共用するとともに、イレーザランプ３２の消灯中にレジストセンサ１３の発光部７４を発光できるようにした点で、第３実施形態と相違する。ここでは、第３実施形態と相違する点を中心に説明し、共通する構成、作用及び効果については説明を適宜省略する。尚、実施形態の説明及び図面中、第２実施形態と同様の構成には、第３実施形態と同様の符号を使用するものとする。
【００９１】
＜制御回路＞
図６は、第４実施形態に係る複合機１が使用する電装品の制御回路５０Ｃを示す図である。
制御回路５０Cは、制御装置５１Ｃが搭載されたコントロール基板８２と、イレーザランプ３２が搭載されたＥＬ基板８１とを備える。制御回路５０Ｃは、制御装置５１Ｃによって、イレーザランプ３２の点灯／消灯と、レジストセンサ１３の発光部７４の発光状態を制御できるように構成されている。
【００９２】
コントロール基板８２の制御装置５１Ｃは、第１ポート８３と第２出力ポート８４、及び、入力ポート７１を備える。第１ポート８３及び第２ポート８４は、ロー状態のときに電流を引き込むことができ（以下、この状態を「Ｌ」と称す。）と、ハイ状態のときに電流を供給することができる（以下、この状態を「Ｈ」と称す。）トーテンポールとして構成されている。入力ポート７１は、第５接続点Ｐ３２の電圧を検出して用紙検出を行う。
【００９３】
コントロール基板８２には、レジストセンサ１３が設けられている。レジストセンサ１３の発光部７４は、発光部７４を構成する発光ダイオードのアノード側が第９接続点Ｐ４３、第８接続点Ｐ４２、イレーザランプ３２、第１トランジスタＴＲ１１を介して第１端子Ｑ１１に接続され、カソード側が第４接続点Ｐ３１を介して第６端子Ｑ３２に接続されている。発光部７４の検出光を受光する受光素子としての第６トランジスタＴＲ３１は、エミッタが第４接続点Ｐ３１を介して第６端子Ｑ３２に接続され、コレクタが第５接続点Ｐ３２と抵抗Ｒ３１を介して第５端子Ｑ３１に接続されている。
【００９４】
また、コントロール基板８２は、イレーザランプ３２側と別ルートで発光部７４に電源を供給するために、第８トランジスタＴＲ４２が設けられている。第８トランジスタＴＲ４２は、エミッタが第９端子Ｑ４３に接続され、コレクタが抵抗、第８接続点Ｐ４２、第９接続点Ｐ４３を介して発光部７４に接続され、ベースが第５抵抗Ｒ４２と第７接続点Ｐ４１を介して制御装置５１Ｃの第１ポート８３に接続されている。
【００９５】
ここで、第７接続点Ｐ４１には、第４抵抗Ｒ４１と第５抵抗Ｒ４２とが並列に接続され、第２トランジスタＴＲ１２側と第８トランジスタＴＲ４２側に流す電流値を決めている。第１ポート６４が「Ｈ」のときに、第２トランジスタＴＲ１２のベース電流が適切な値となるように、また、第１ポート６４が「Ｌ」のときに、第８トランジスタＴＲ４２のベース電流が適切な値となるように、第４抵抗Ｒ４１と第５抵抗Ｒ４２との抵抗値が設定されている。
【００９６】
コントロール基板８２は、レジストセンサ１３の発光部７４のオン／オフを制御するために、第７トランジスタＴＲ４１を設けている。第７トランジスタＴＲ４１は、エミッタが第７端子Ｑ４１に接続され、コレクタが第９接続点Ｐ４３に接続され、ベースが制御装置５１Ｃの第２ポート８４に抵抗を介して接続されている。第７端子Ｑ４１は、０ボルトに接続されている。
【００９７】
＜複合機の動作説明＞
次に、上記構成を有する第４実施形態の複合機１の動作について説明する。
複合機１が印刷を行わない待機中には、制御装置５１Ｃは、第１ポート８３の出力を「Ｌ」にすることにより、第１トランジスタＴＲ１１と第２トランジスタＴＲ１２を非導通状態にし、イレーザランプ３２を消灯させている。
【００９８】
このとき、第８トランジスタＴＲ４２は、ベース電流が流れるので、第９端子Ｑ４３から供給される電流を第８接続点Ｐ４２に供給する。その電流は、第８接続点Ｐ４２から第９接続点Ｐ４３へ流れる。制御装置５１Ｃが第２ポート８４を「Ｌ」にしているときには、第７トランジスタＴＲ４１のベース電流が流れないので、第７トランジスタＴＲ４１が非導通状態になる。そのため、第９接続点Ｐ４３に供給された電流が、発光部７４側に供給され、発光部７４を発光させる。これに対して、制御装置５１Ｃが第２ポート８４を「Ｈ」にしているときには、第７トランジスタＴＲ４１のベース電流が流れので、第７トランジスタが導通状態になる。そのため、第９接続点Ｐ４３に供給された電流が、第７トランジスタＴＲ４１を介して第７端子Ｑ４１へ流れ、発光部７４を発光させない。
【００９９】
よって、複合機１は、待機中であっても、第２ポート８４の「Ｌ」／「Ｈ」を切り替えることにより、発光部７４の発光状態を制御することができる。
【０１００】
一方、複合機１は、印刷時には、制御装置５１Ｃが第１ポート８３を「Ｌ」から「Ｈ」に切り替えることにより、第１トランジスタＴＲ１１と第２トランジスタＴＲ１２が導通状態になり、イレーザランプ３２が点灯する。制御装置５１Ｃは、印刷時には、レジストセンサ１３による用紙検出を行うために、第２ポート８４の出力を「Ｌ」にする。そのため、イレーザランプ３２に供給された電流は、第８接続点Ｐ４２、第９接続点Ｐ４３を介して発光部７４側へ流れ、発光部７４を発光させる。
【０１０１】
発光部７４の検出光が、発光部７４と第６トランジスタＴＲ３１との間に配設される遮光部材によって遮断されているときには、第６トランジスタＴＲ３１のベース電流が流れないため、第５接続点Ｐ３２の電圧が第５端子Ｑ３１と略同一の３．３ボルトになる。すると、制御装置５１Ｃは、第５接続点Ｐ３２から入力ポート７１に「Ｈ」の電圧が印加され、レジストセンサ１３が用紙を検出してない状態と判断する。しかし、遮光部材が検出光の光路から外れ、発光部７４の検出光が第６トランジスタＴＲ３１のベースに到達して第６トランジスタＴＲ３１を導通状態にした場合には、第５接続点Ｐ３２の電圧が低下する。すると、制御装置５１Ｃは、第５接続点Ｐ３２から入力ポート７１に「Ｌ」の電圧が印加され、レジストセンサ１３が用紙を検出した状態と判断する。
【０１０２】
従って、複合機１は、イレーザランプ３２に供給された電流によって発光部７４を発光させ、レジストセンサ１３にセンシングを行わせることができる。
【０１０３】
ここで、複合機１は、印刷中にイレーザランプ３２が異常を発生すると、第１トランジスタＴＲ１１を介して第１端子Ｑ１１からイレーザランプ３２に供給された電流が発光部７４に流れなくなる。また、複合機１は、印刷中には、制御装置５１Ｃが第１ポート８３の出力を「Ｈ」として第８トランジスタＴＲ４２を非導通状態にするため、第８トランジスタＴＲ４２からも発光部７４に電流を供給しない。従って、レジストセンサ１３は、印刷中に発光部７４が発光しなくなり、センシングできなくなる。
【０１０４】
複合機１は、給紙センサ２１とレジストセンサ１３の用紙検出結果に基づいて搬送不良を発生しているか否かを判断する。そのため、イレーザランプ３２の異常によりレジストセンサ１３がセンシングできなくなると、複合機１は、搬送不良が生じたと判断し、印刷を非常停止する。ユーザは、搬送不良の要因を確認し、搬送不良の要因がないにもかかわらず印刷が非常停止されていれば、イレーザランプ３２は異常を生じたことに気づくことができる。
【０１０５】
＜複合機の作用効果＞
従って、本実施形態の複合機１によれば、レジストセンサ１３の発光部７４を、イレーザランプ３２の異常検出に共用するので、別途イレーザランプ異常検出用の表示用電装品を設ける必要がなく、部品点数を減らすことができる。また、発光部７４をイレーザランプ３２を介して第１トランジスタ１１のコレクタに接続するだけで、イレーザランプ３２の異常検出を行えるので、制御回路５０Ｃの回路構成を簡単にして、製造コストを抑えることができる。よって、本実施形態の複合機１によれば、電気回路構造が簡単で、安価に製造することができる。
【０１０６】
また、本実施形態の複合機１は、制御装置５１Ｃの第２ポート８４の「Ｌ」／「Ｈ」を切り替え、第７トランジスタＴＲ７１の導通状態を制御することにより、レジストセンサ１３の発光部７４の発光状態を制御できるので、発光部７４を必要な場合にのみ発光させ、発光部７４の寿命を確保することができる。
【０１０７】
以上、本発明の実施の形態について説明したが、本発明は、上記実施の形態に限定されることなく、色々な応用が可能である。
【０１０８】
（１）例えば、上記実施形態では、複合機１を電子機器又は画像形成装置として使用したが、プリンタ装置やファクシミリ装置、コピー装置を電子機器又は画像形成装置として使用してもよい。また、上記実施形態のようにレーザプリンタでなくても、インクジェットプリンタ等であってもよい。
【０１０９】
（２）例えば、上記実施形態では、イレーザランプ３２を第１電装品として使用したが、ＬＥＤアレイや発光素子など、異常を検出しにくい電装品を第１電装品として使用してもよい。
【０１１０】
（３）例えば、上記第１実施形態では、給紙ローラ１１の停動を制御するクラッチソレノイド２０を駆動制御手段として使用したが、レジストローラ１２等の停動を制御するクラッチソレノイド２０を駆動制御手段として使用してもよい。
【０１１１】
（４）上記第３，第４実施形態では、光学センサとしてレジストセンサ１３を使用したが、例えば、給紙カセット６のセット状態を検出するセンサを光学センサとして使用してもよい。給紙カセット６は、ユーザが複合機１の外部からセット状態を簡単に確認できるので、イレーザランプ３２の異常検出に簡単に気づくことができる。
【図面の簡単な説明】
【０１１２】
【図１】本発明の第１実施の形態に係る複合機の外観斜視図である。
【図２】図１に示す複合機の断面図である。
【図３】図１に示す複合機が使用する電装品の制御回路を示す図である。
【図４】本発明の第２実施形態に係る複合機が使用する電装品の制御回路を示す図である。
【図５】本発明の第３実施形態に係る複合機が使用する電装品の制御回路を示す図である。
【図６】本発明の第４実施形態に係る複合機が使用する電装品の制御回路を示す図である。
【符号の説明】
【０１１３】
１  複合機（電子機器）
１１  第１トランジスタ
１３  第３トランジスタ
１３  レジストセンサ（第２電装品、発光センサ）
２０  クラッチソレノイド（第２電装品）
３２  イレーザランプ（第２電装品）
７４  発光部（発光手段）
１２６  表示灯（第２電装品、表示用電装品）
Ｑ１１  第１端子（電力供給手段）
【図１】
0005130625.tif 000002
【図２】
0005130625.tif 000003
【図３】
0005130625.tif 000004
【図４】
0005130625.tif 000005
【図５】
0005130625.tif 000006
【図６】
0005130625.tif 000007